(57)【要約】【課題】消費電流の浪費を低減させて消費電力を小さくし、外部装置から送信される振幅変調されたデータ波形から振幅の変化量の検出を容易に行なえ、特に高速通信に有効な非接触型携帯可能電子装置および非接触型ＩＣカードを提供する。【解決手段】非接触型カードリーダ・ライタから送信される電磁波を受信し、この受信した電磁波により動作電圧を生成して動作し、非接触型カードリーダ・ライタから振幅変調方式により送信されるデータを受信し、この受信した振幅変調されたデータ波形から振幅の変化量を検出することにより受信データを復調し各種データ処理を行なう非接触型ＩＣカードにおいて、データの受信を開始する時点から受信を完了するまでの期間において、データ受信に不要な機能部を機能させないようにする。【選択図】      図１
2010146388.tif 000002
【特許請求の範囲】
【請求項１】
外部装置から送信される電磁波を受信し、この受信した電磁波により動作電圧を生成し、この生成した動作電圧を複数の機能部に供給することにより動作するもので、前記外部装置から搬送波に対して所定の割合で振幅を変化させる振幅変調方式により送信されるデータを受信し、この受信した振幅変調されたデータ波形から振幅の変化量を検出することにより受信データを復調し各種データ処理を行なう非接触型携帯可能電子装置であって、
前記外部装置から送信されるデータの受信を開始する時点から受信を完了するまでの期間において、前記複数の機能部の中でデータ受信に不要な機能部を機能させないように制御する制御手段を具備したことを特徴とする非接触型携帯可能電子装置。
【請求項２】
外部装置から送信される電磁波を受信し、この受信した電磁波により動作電圧および動作クロックを生成し、この生成した動作電圧および動作クロックを複数の機能部に供給することにより動作するもので、前記外部装置から搬送波に対して所定の割合で振幅を変化させる振幅変調方式により送信されるデータを受信し、この受信した振幅変調されたデータ波形から振幅の変化量を検出することにより受信データを復調し各種データ処理を行なう非接触型携帯可能電子装置であって、
前記外部装置から送信されるデータの受信を開始する時点から受信を完了するまでの期間において、前記複数の機能部の中でデータ受信に不要な機能部への動作クロックの供給を停止させる制御を行なう制御手段を具備したことを特徴とする非接触型携帯可能電子装置。
【請求項３】
外部装置から送信される電磁波を受信し、この受信した電磁波により動作電圧および動作クロックを生成し、この生成した動作電圧および動作クロックを複数の機能部に供給することにより動作するもので、前記外部装置から搬送波に対して所定の割合で振幅を変化させる振幅変調方式により送信されるデータを受信し、この受信した振幅変調されたデータ波形から振幅の変化量を検出することにより受信データを復調し各種データ処理を行なう非接触型携帯可能電子装置であって、
前記外部装置から送信されるデータの受信を開始する時点から受信を完了するまでの期間において、前記複数の機能部の中でデータ受信に不要な機能部に供給する動作クロックの周波数を所定値まで低下させて当該機能部を低速動作させるように制御する制御手段を具備したことを特徴とする非接触型携帯可能電子装置。
【請求項４】
前記複数の機能部の中でデータ受信に不要な機能部とは、データを暗号化したり暗号化されたデータを復号化したりする暗号処理部およびデータの書込みや読出しが行なわれるメモリ部のうち少なくともいずれか一方であることを特徴とする請求項１〜３のいずれかに記載の非接触型携帯可能電子装置。
【請求項５】
外部装置との間で非接触による通信を行なうためのアンテナ部と、
このアンテナ部と電気的に接続され、前記外部装置から送信される電磁波を受信し、この受信した電磁波により動作電圧および動作クロックを生成し、この生成した動作電圧および動作クロックを複数の機能部に供給することにより動作するもので、前記外部装置から搬送波に対して所定の割合で振幅を変化させる振幅変調方式により送信されるデータを受信し、この受信した振幅変調されたデータ波形から振幅の変化量を検出することにより受信データを復調し各種データ処理を行なうＩＣチップと、
前記アンテナ部および前記ＩＣチップを一体的に収納したカード本体とを具備し、
前記ＩＣチップは、前記外部装置から送信されるデータの受信を開始する時点から受信を完了するまでの期間において、前記複数の機能部の中でデータ受信に不要な機能部への動作クロックの供給を停止させる制御を行なう制御手段を具備したことを特徴とする非接触型ＩＣカード。
【請求項６】
外部装置との間で非接触による通信を行なうためのアンテナ部と、
このアンテナ部と電気的に接続され、前記外部装置から送信される電磁波を受信し、この受信した電磁波により動作電圧および動作クロックを生成し、この生成した動作電圧および動作クロックを複数の機能部に供給することにより動作するもので、前記外部装置から搬送波に対して所定の割合で振幅を変化させる振幅変調方式により送信されるデータを受信し、この受信した振幅変調されたデータ波形から振幅の変化量を検出することにより受信データを復調し各種データ処理を行なうＩＣチップと、
前記アンテナ部および前記ＩＣチップを一体的に収納したカード本体とを具備し、
前記ＩＣチップは、前記外部装置から送信されるデータの受信を開始する時点から受信を完了するまでの期間において、前記複数の機能部の中でデータ受信に不要な機能部に供給する動作クロックの周波数を所定値まで低下させて当該機能部を低速動作させるように制御する制御手段を具備したことを特徴とする非接触型ＩＣカード。
【発明の詳細な説明】
【技術分野】
【０００１】
本発明は、たとえば、非接触型カードリーダ・ライタから送信される電磁波を受信し、この受信した電磁波により動作電圧を生成して動作し、非接触型カードリーダ・ライタから振幅変調方式により送信されるデータを受信し、この受信した振幅変調されたデータ波形から振幅の変化量を検出することにより受信データを復調し各種データ処理を行なう非接触型ＩＣカード（無線カードともいわれる）などの非接触型携帯可能電子装置および非接触型ＩＣカードに関する。
【背景技術】
【０００２】
一般に、この種の非接触型ＩＣカードは、非接触型カードリーダ・ライタから送信される電磁波を受信し、この受信した電磁波により動作電圧を生成して動作し、非接触型カードリーダ・ライタから振幅変調方式により送信されるデータを受信し、この受信した振幅変調されたデータ波形から振幅の変化量を検出することにより受信データを復調し各種データ処理を行なうようになっている。
【０００３】
このような非接触型ＩＣカードでは、非接触型カードリーダ・ライタから非接触型ＩＣカードへ送られる変調データは、変調度が８％〜１４％のＡＳＫ変調（振幅変調）であり、また、データ伝送速度は、１０６Ｋｂｐｓ、２１２Ｋｂｐｓ、４２４Ｋｂｐｓ、８４８Ｋｂｐｓである（たとえば、非特許文献１参照）。
【０００４】
非接触型ＩＣカードに搭載されるＩＣチップは、ＣＰＵ、データの暗号化や復号化を行なうコプロセッサ、メモリなどの複数の機能部を搭載していて、大容量、高機能化に伴い消費電力も増大する傾向にある。また、高速化通信に伴いデータ復調の感度も上げる必要がある。
【非特許文献１】国際標準化規格  ＩＳＯ／ＩＥＣ１４４４３  ＴｙｐｅＢ
【特許文献１】特開２００７−１０４３２５号公報
【発明の開示】
【発明が解決しようとする課題】
【０００５】
ＩＣチップの消費電力が増大すると、非接触型ＩＣカードはより多くの電力を非接触型カードリーダ・ライタから受けないと動作できなくなる。  
今、非接触型カードリーダ・ライタが放射する動作磁界強度（電力）が一定の場合、消費電力の小さい非接触型ＩＣカードと、消費電力の大きい非接触型ＩＣカードの受信波形を比較してみると、消費電力の大きい非接触型ＩＣカードの方が受信波形の振幅が大きく減少する。  
これは、非接触型カードリーダ・ライタが放射する動作磁界強度に対して、非接触型ＩＣカードの消費電力量の割合が大きいからである。
【０００６】
非接触型カードリーダ・ライタからのデータ伝送は、この受信波形に対して８％〜１４％の振幅変調をかけて送るため、受信波形の振幅が減少すると、この受信データも減少することになる。よって、非接触型ＩＣカード側ではデータ復調レベルが減少するため、データの復調が難しくなる傾向にある。特に、高速通信に対してより厳しくなってくる。
【０００７】
そこで、本発明は、消費電流の浪費を低減させて消費電力を小さくし、外部装置から送信される振幅変調されたデータ波形から振幅の変化量の検出を容易に行なえ、特に高速通信に有効な非接触型携帯可能電子装置および非接触型ＩＣカードを提供することを目的とする。
【課題を解決するための手段】
【０００８】
本発明の非接触型携帯可能電子装置は、外部装置から送信される電磁波を受信し、この受信した電磁波により動作電圧を生成し、この生成した動作電圧を複数の機能部に供給することにより動作するもので、前記外部装置から搬送波に対して所定の割合で振幅を変化させる振幅変調方式により送信されるデータを受信し、この受信した振幅変調されたデータ波形から振幅の変化量を検出することにより受信データを復調し各種データ処理を行なう非接触型携帯可能電子装置であって、前記外部装置から送信されるデータの受信を開始する時点から受信を完了するまでの期間において、前記複数の機能部の中でデータ受信に不要な機能部を機能させないように制御する制御手段を具備したことを特徴とする。
【０００９】
また、本発明の非接触型ＩＣカードは、外部装置との間で非接触による通信を行なうためのアンテナ部と、このアンテナ部と電気的に接続され、前記外部装置から送信される電磁波を受信し、この受信した電磁波により動作電圧および動作クロックを生成し、この生成した動作電圧および動作クロックを複数の機能部に供給することにより動作するもので、前記外部装置から搬送波に対して所定の割合で振幅を変化させる振幅変調方式により送信されるデータを受信し、この受信した振幅変調されたデータ波形から振幅の変化量を検出することにより受信データを復調し各種データ処理を行なうＩＣチップと、前記アンテナ部および前記ＩＣチップを一体的に収納したカード本体とを具備し、前記ＩＣチップは、前記外部装置から送信されるデータの受信を開始する時点から受信を完了するまでの期間において、前記複数の機能部の中でデータ受信に不要な機能部への動作クロックの供給を停止させる制御を行なう制御手段を具備したことを特徴とする。
【発明の効果】
【００１０】
本発明によれば、消費電流の浪費を低減させて消費電力を小さくし、外部装置から送信される振幅変調されたデータ波形から振幅の変化量の検出を容易に行なえ、特に高速通信に有効な非接触型携帯可能電子装置および非接触型ＩＣカードを提供できる。
【発明を実施するための最良の形態】
【００１１】
以下、本発明の実施の形態について図面を参照して説明する。  
まず、第１の実施の形態について説明する。
【００１２】
図１は、第１の実施の形態に係る非接触型携帯可能電子装置としての非接触型ＩＣカードの構成を概略的に示すものである。この非接触型ＩＣカードは、外部装置としての非接触型カードリーダ・ライタ１０との間でデータを送受信するための送受信アンテナ部１１、送受信アンテナ部１１で受信した非接触型カードリーダ・ライタ１０からの電力波を整流回路にて整流、平滑することにより安定化された直流電圧を生成して各機能部（後述する機能部１３〜２０）に動作電圧として供給する電源生成部１２、同じく受信した電力波から動作クロックを生成して各機能部に供給するクロック（ＣＬＫ）生成部１３、受信データを復調する復調部１４、送信データを変調する変調部１５、送受信データの通信制御や各種割込み処理などを行なうとともに各種データ処理や全体的な制御を行なう制御手段としての制御部１６、データを暗号化したり暗号化されたデータを復号化したりする暗号処理部（コプロセッサ）１７、ＯＳ（オペレーティングシステム）があらかじめ格納されているメモリ部であるＲＯＭ（リード・オンリ・メモリ）１８、アプリケーションプログラムやデータがＯＳによって読書きが行なわれるメモリ部であるＥＥＰＲＯＭ（エレクトリカリ・イレーザブル・アンド・プログラマブル・リード・オンリ・メモリ）１９、一時的なデータの書込み／読出しが行なわれるＲＡＭ（ランダム・アクセス・メモリ）２０、および、暗号処理部１７、ＲＯＭ１８、ＥＥＰＲＯＭ１９へ供給される動作クロックをオン，オフ制御するスイッチ２１を有して構成される。
【００１３】
送受信アンテナ部１１は、上記したように、非接触型カードリーダ・ライタ１０との間で非接触による通信を行なうためのもので、アンテナコイルＬとコンデンサＣとでＬＣ共振回路を形成し、非接触型カードリーダ・ライタ１０からの電力波（１３．５６ＭＨｚ）を効率よく受信可能な共振周波数に同調される。
【００１４】
制御部１６は、上記したように、送受信データの通信制御や各種割込み処理などを行なうとともに各種データ処理や全体的な制御を行なうもので、ＣＰＵ（セントラル・プロセッシング・ユニット）を主体に構成されている。
【００１５】
スイッチ２１は、上記したように、暗号処理部１７、ＲＯＭ１８およびＥＥＰＲＯＭ１９、すなわち、非接触型カードリーダ・ライタ１０からのデータ受信に不要な機能部へ供給される動作クロックをオン，オフ制御するもので、たとえば、半導体スイッチング素子により構成されていて、制御部１６によりオン，オフ制御される。
【００１６】
送受信アンテナ部１１を除く他の各機能部１２〜２１は、１つのＩＣチップ２２で構成され、さらに、このＩＣチップ２２と送受信アンテナ部１１とが電気的に接続された状態で一体化されてＩＣモジュール２３とされ、このＩＣモジュール２３が図２に示すようにＩＣカード本体２４内に収納（埋設）されている。
【００１７】
ここで、ＩＳＯ／ＩＥＣ１４４４３  ＴｙｐｅＢにおける通信プロトコルについて説明しておく。  
非接触型ＩＣカードは、非接触型カードリーダ・ライタの放射する動作磁界エリアに進入した場合、５ｍｓ以内に活性化されてアイドル（Ｉｄｌｅ）状態となる。
【００１８】
非接触型ＩＣカードは、非接触型カードリーダ・ライタから初期応答ＲＥＱＢ（Ｒｅｑｕｅｓｔ  Ｃｏｍｍａｎｄ  ＴｙｐｅＢ）、あるいは、ＷＵＰＢ（Ｗａｋｅ  Ｕｐ  ｃｏｍｍａｎｄ  ＴｙｐｅＢ）のコマンドを正常に受信すると、ＡＴＱＢ（Ａｎｓｗｅｒ  Ｔｏ  Ｒｅｑｕｅｓｔ  ｃｏｍｍａｎｄ  ＴｙｐｅＢ）のレスポンスを非接触型カードリーダ・ライタに送信する。
【００１９】
ＲＥＱＢコマンドおよびＷＵＰＢコマンドは、非接触型カードリーダ・ライタの動作磁界内にＩＳＯ／ＩＥＣ１４４４３  ＴｙｐｅＢの非接触型ＩＣカードが存在するかどうかを検出するために使用される。
【００２０】
次に、非接触型カードリーダ・ライタは、非接触型ＩＣカードを選択するためにＡＴＴＲＩＢコマンドを送信し、Ａｎｓｗｅｒ  Ｔｏ  ＡＴＴＲＩＢをレスポンスとして受信する。以降、非接触型ＩＣカードは、非接触型カードリーダ・ライタからの各コマンドに対する処理へ移行する。
【００２１】
非接触型カードリーダ・ライタからのデータ伝送は、搬送波（１３．５６ＭＨｚ）に対して８〜１４％の範囲内で振幅変調をかけ、ＮＲＺ符号化で非接触型ＩＣカードに送信され、非接触型ＩＣカードからのレスポンスは、搬送波の１／１６に相当するに副搬送波（８４７．５ＫＨｚ）を用いて位相変調、ＮＲＺ符号化で非接触型カードリーダ・ライタに対して送信される。
【００２２】
次に、非接触型ＩＣカードの受信波形について図３〜図５を参照して説明する。  
図３は、理想的な受信波形を示している。非接触型カードリーダ・ライタから非接触型ＩＣカードへのデータ伝送は、先に説明したように、搬送波（１３．５６ＭＨｚ）に対して８〜１４％の範囲内でＡＳＫ変調（振幅変調）をかけ、ＮＲＺ符号化で非接触型ＩＣカードに送信される。
【００２３】
非接触型カードリーダ・ライタが放射する電力波形は、図３（ｂ）に示すような波形であるが、これは非接触型カードリーダ・ライタの放射する動作磁界エリアには非接触型ＩＣカードが存在しない場合である。
【００２４】
この非接触型カードリーダ・ライタが放射する動作磁界エリアに非接触型ＩＣカードが進入した場合において、非接触型ＩＣカード内部の消費電力が小さい場合は、非接触型カードリーダ・ライタが放射する動作磁界エリアに対して影響が小さいため、非接触型カードリーダ・ライタからの送信波形は、図３（ｃ）に示すように波形の振幅の減少は少ない。したがって、変調レベルの振幅減少も少なくなる。
【００２５】
次に、非接触型ＩＣカード内部の消費電力が大きい場合は、非接触型カードリーダ・ライタが放射する動作磁界エリアに対して影響が大きいため、非接触型カードリーダ・ライタからの送信波形は、図３（ｄ）に示すように波形の振幅の減少は大きくなり、変調レベルの振幅減少も大きくなる。
【００２６】
非接触型ＩＣカードは、この変調レベルの振幅を包絡線検波、２値化処理を行ない、データとして再生（復調）するため、データ自身の振幅が小さいとノイズに対する影響（Ｓ／Ｎ比が悪化）も受け易く、また増幅回路やフィルタ回路など、複雑な回路構成になってしまう。
【００２７】
また、図３に示した波形は、非接触型カードリーダ・ライタからの送信データ（図３（ａ）参照）のオン，オフに対して波形は敏速に追従しているが、実際では図４、図５に示すように、非接触型カードリーダ・ライタからの送信データのオンからオフへの切換わり、あるいは、オフからオンへの切換わりでの立上がり、立下りの傾きは鈍ってしまう。これは、スイッチングトランジスタのオン抵抗や、寄生容量などにより、１／ＣＲの時定数が影響するからである。
【００２８】
図４は、非接触型カードリーダ・ライタからの送信データの伝送速度が遅い場合である。この場合は、非接触型カードリーダ・ライタからの搬送波（１３．５６ＭＨｚ）が３２周期ごとに送信データ（図４（ａ）参照）が切換わっているので、伝送速度は  
１３．５６ＭＨｚ／３２＝４２３．７５Ｋｂｐｓ  
である。
【００２９】
非接触型ＩＣカードは、非接触型カードリーダ・ライタから図４（ｂ）あるいは図４（ｄ）に示すような送信波形を受信し、包絡線検波を行なうことで、図４（ｃ）あるいは図４（ｅ）に示すようになり、２値化処理を行ない、デジタル信号に変換して復調部によりデータ復調が行なわれる。
【００３０】
図５は、非接触型カードリーダ・ライタからの送信データの伝送速度が速い場合である。この場合は、非接触型カードリーダ・ライタからの搬送波（１３．５６ＭＨｚ）が１６周期ごとに送信データ（図５（ａ）参照）が切換わっているので、伝送速度は  
１３．５６ＭＨｚ／１６＝８４７．５Ｋｂｐｓ  
である。
【００３１】
非接触型ＩＣカードは、非接触型カードリーダ・ライタから図５（ｂ）あるいは図５（ｄ）に示すような送信波形を受信し、包絡線検波を行なうことで、図５（ｃ）あるいは図５（ｅ）に示すようになり、２値化処理を行ない、デジタル信号に変換して復調部によりデータ復調が行なわれる。
【００３２】
図４、図５から、［図４（ｃ）、図４（ｅ）］と［図５（ｃ）、図５（ｅ）］とを比較すると、明らかに［図４（ｅ）、図５（ｅ）］の検波後の波形振幅が小さく、また伝送速度が速い方が非接触型カードリーダ・ライタからの送信データのオン，オフ期間が短いために、時定数による影響（緩やかな立上がり、立下り）により送信データの変化がわかりにくい。
【００３３】
したがって、送信データの振幅が小さいとノイズによる影響も受け易く、増幅、フィルタリングと複雑な処理を行なわないとデータ復調が困難であるため、非接触型ＩＣカードの消費電流が小さい方が安定的なデータ受信には有利であるといえる。
【００３４】
そこで、第１の実施の形態では、非接触型カードリーダ・ライタ１０から送信されるデータを非接触型ＩＣカードが受信するタイミングに合わせて非接触型ＩＣカード内部でデータ受信に不要な機能部を切り離すことにより、無駄な消費電流の浪費を低減させ、非接触型ＩＣカードとしては消費電力を小さくするように制御するものでものであり、以下、それについて説明する。
【００３５】
たとえば、通常はスイッチ２１をオン状態に設定しておくことで、各機能部に対し動作クロックを常に供給しているが、非接触型カードリーダ・ライタ１０からの送信データを非接触型ＩＣカードが受信を開始する寸前から受信完了までの期間に、スイッチ２１をオフ状態に設定することで、データ受信処理に関わらない機能部への動作クロックの供給を停止する。
【００３６】
非接触型カードリーダ・ライタ１０から受信した送信データは復調部１５によりデータとして再生され、図示しない受信バッファを介してＲＡＭ２０へ格納される。ＲＡＭ２０への受信データの格納が完了した後、スイッチ２１をオン状態に設定することで、供給を停止していた機能部への動作クロックの供給を開始し、受信したデータの内容に基づく所定の処理を開始する。
【００３７】
非接触型ＩＣカードが送信データの受信に関わらない機能部とは、前述したように、たとえば、暗号処理部１７、ＲＯＭ１８およびＥＥＰＲＯＭ１９などである。
【００３８】
非接触型カードリーダ・ライタ１０からの送信データの受信待ち状態では、受信に不要な機能部への動作クロックの供給は停止させておき、非接触型カードリーダ・ライタ１０からのデータ受信が完了したタイミング、たとえば、データ最後のＥＯＦ（Ｅｎｄ  Ｏｆ  Ｆｒａｍｅ）を検知した後、所定の時間経過後に動作クロックの供給を再開させればよい。
【００３９】
以下、具体例について図６に示すシーケンスを参照して説明する。  
まず、通常はスイッチ２１がオン状態に設定されているものとする。この状態で、非接触型カードリーダ・ライタ１０から電力の供給が開始され、非接触型ＩＣカードが活性化されると、各機能部への動作クロックの供給が開始され、ハードウェアの自己診断後にスイッチ２１をオフ状態に設定することで、データ受信処理に関わらない機能部、この例では暗号処理部１７、ＲＯＭ１８およびＥＥＰＲＯＭ１９への動作クロックの供給を停止する。
【００４０】
ここで、ハードウェアの自己診断とは、たとえば、制御部１６内のＣＰＵの初期化（ポート、レジスタ、タイマ等の初期化）、ＲＯＭ１８のチェック（指定範囲のＲＯＭコードを読出して内容確認）、ＲＡＭ２０のチェック（グローバル領域で使用するエリアに対して書込み、読出しを行なう）などが考えられる。
【００４１】
次に、非接触型カードリーダ・ライタ１０から所定の処理コマンドが送信され、非接触型ＩＣカードがそれを受信すると、受信したコマンドデータは復調部１５によりデータとして再生（復調）され、図示しない受信バッファを介してＲＡＭ２０へ格納される。
【００４２】
コマンドデータのＥＯＦを検知すると、その時点から所定の時間経過後にスイッチ２１をオン状態に設定することで、供給を停止していた機能部（暗号処理部１７、ＲＯＭ１８、ＥＥＰＲＯＭ１９）への動作クロックの供給を開始し、受信したデータの内容に基づく所定のデータ処理を実行し、レスポンスを非接触型カードリーダ・ライタ１０へ送信する。
【００４３】
非接触型ＩＣカードは、レスポンスを非接触型カードリーダ・ライタ１０へ送信すると、スイッチ２１をオフ状態に設定することで、データ受信処理に関わらない機能部（暗号処理部１７、ＲＯＭ１８、ＥＥＰＲＯＭ１９）への動作クロックの供給を停止し、受信待機状態となる。
【００４４】
次に、第２の実施の形態について説明する。  
図７は、第２の実施の形態に係る非接触型携帯可能電子装置としての非接触型ＩＣカードの構成を概略的に示すものである。第２の実施の形態の第１の実施の形態と異なる点は、スイッチ２１が動作クロックの周波数を１／Ｎに分周する分周器２５に置き換わった点にあり、その外は前述した第１の実施の形態と同様であるので、同一部分には同一符号を付して詳細な説明は省略する。
【００４５】
第２の実施の形態では、非接触型カードリーダ・ライタ１０から送信されるデータを非接触型ＩＣカードが受信するタイミングに合わせて非接触型ＩＣカード内部でデータ受信に不要な機能部への動作クロックを１／Ｎに分周して低速モードで供給すことにより、無駄な消費電流の浪費を低減させ、非接触型ＩＣカードとしては消費電力を小さくするように制御するものでものであり、以下、それについて説明する。
【００４６】
たとえば、通常は分周器２５をオフ状態に設定しておくことで、各機能部に対し分周してない動作クロックを常に供給しているが、非接触型カードリーダ・ライタ１０からの送信データを非接触型ＩＣカードが受信を開始する寸前から受信完了までの期間に、分周器２５をオン状態に設定することで、データ受信処理に関わらない機能部への動作クロックを１／Ｎに分周して低速モードで供給する。
【００４７】
非接触型カードリーダ・ライタ１０から受信した送信データは復調部１５によりデータとして再生され、図示しない受信バッファを介してＲＡＭ２０へ格納される。ＲＡＭ２０への受信データの格納が完了した後、分周器２５をオフ状態に設定することで、通常速度で動作クロックの供給を開始し、受信したデータの内容に基づく所定の処理を開始する。
【００４８】
非接触型カードリーダ・ライタ１０からの送信データの受信待ち状態では、データ受信に不要な機能部への動作クロックを低速モードで動作させておき、非接触型カードリーダ・ライタ１０からのデータ受信が完了したタイミング、たとえば、データ最後のＥＯＦを検知した後、所定の時間経過後に動作クロックを通常速度へ戻して供給させればよい。
【００４９】
以下、具体例について図８に示すシーケンスを参照して説明する。  
まず、通常は分周器２５がオフ状態に設定されているものとする。この状態で、非接触型カードリーダ・ライタ１０から電力の供給が開始され、非接触型ＩＣカードが活性化されると、各機能部への動作クロックの供給が通常速度で開始され、ハードウェアの自己診断後に分周器２５をオン状態に設定することで、データ受信処理に関わらない機能部（暗号処理部１７、ＲＯＭ１８、ＥＥＰＲＯＭ１９）への動作クロックを１／Ｎに分周して低速モードで供給する。
【００５０】
次に、非接触型カードリーダ・ライタ１０から所定の処理コマンドが送信され、非接触型ＩＣカードがそれを受信すると、受信したコマンドデータは復調部１５によりデータとして再生（復調）され、図示しない受信バッファを介してＲＡＭ２０へ格納される。
【００５１】
コマンドデータのＥＯＦを検知すると、その時点から所定の時間経過後に分周器２５をオフ状態に設定することで、データ受信処理に関わらない機能部（暗号処理部１７、ＲＯＭ１８、ＥＥＰＲＯＭ１９）への動作クロックを通常速度へ戻して供給し、受信したデータの内容に基づく所定のデータ処理を実行し、レスポンスを非接触型カードリーダ・ライタ１０へ送信する。
【００５２】
非接触型ＩＣカードは、レスポンスを非接触型カードリーダ・ライタ１０へ送信すると、分周器２５をオン状態に設定することで、データ受信処理に関わらない機能部（暗号処理部１７、ＲＯＭ１８、ＥＥＰＲＯＭ１９）への動作クロックを１／Ｎに分周して低速モードで供給し、受信待機状態となる。
【００５３】
以上説明したように、上記実施の形態によれば、非接触型ＩＣカード側のデータ受信に不要なハードウェア機能部への動作クロックの供給を停止、あるいは、動作クロックを１／Ｎに分周して低速モードで動作させることにより、非接触型ＩＣカードの消費電力を軽減させて非接触型カードリーダ・ライタからのデータ信号レベルを大きくする。これにより、非接触型ＩＣカードはデータ受信感度が上がるため、非接触型カードリーダ・ライタから送信される振幅変調されたデータ波形から変化量の検出を容易に行なえ、より安定的なデータ復調に極めて有効であり、特に高速通信に有効である。
【００５４】
なお、前記実施の形態では、非接触型ＩＣカードに適用した場合について説明したが、本発明はこれに限定されるものではなく、たとえば、非接触型ＩＣカード機能を搭載した携帯電話機など、他の非接触型携帯可能電子装置にも同様に適用可能である。
【図面の簡単な説明】
【００５５】
【図１】本発明の第１の実施の形態に係る非接触型携帯可能電子装置としての非接触型ＩＣカードの構成を概略的に示すブロック図。
【図２】非接触型ＩＣカードの外観構成を模式的に示す平面図。
【図３】非接触型ＩＣカードにおける理想的な受信波形を説明する波形図。
【図４】非接触型ＩＣカードにおける非接触型カードリーダ・ライタからの送信データの伝送速度が遅い場合の受信波形を説明する波形図。
【図５】非接触型ＩＣカードにおける非接触型カードリーダ・ライタからの送信データの伝送速度が速い場合の受信波形を説明する波形図。
【図６】第１の実施の形態における動作の具体例を説明するシーケンス。
【図７】本発明の第２の実施の形態に係る非接触型携帯可能電子装置としての非接触型ＩＣカードの構成を概略的に示すブロック図。
【図８】第２の実施の形態における動作の具体例を説明するシーケンス。
【符号の説明】
【００５６】
１０…非接触型カードリーダ・ライタ（外部装置）、１１…送受信アンテナ部、１２…電源生成部、１３…クロック（ＣＬＫ）生成部、１４…復調部、１５…変調部、１６…制御部（制御手段）、１７…暗号処理部（コプロセッサ）、１８…ＲＯＭ（メモリ部）、１９…ＥＥＰＲＯＭ（メモリ部）、２０…ＲＡＭ、２１…スイッチ、２２…ＩＣチップ、２３…ＩＣモジュール、２４…ＩＣカード本体、２５…分周器。
【図１】
2010146388.tif 000003
【図２】
2010146388.tif 000004
【図３】
2010146388.tif 000005
【図４】
2010146388.tif 000006
【図５】
2010146388.tif 000007
【図６】
2010146388.tif 000008
【図７】
2010146388.tif 000009
【図８】
2010146388.tif 000010